(57)【要約】【課題】筐体上でマウスを操作することができ、しかも、マウスを使用してもキーボード操作の邪魔になり難い電子機器を提供する。【解決手段】筐体１０と、この筐体１０の上面１０ａに設けられたキーボード１２とを具備している。筐体１０は、その上面１０ａのうちのキーボード１２の側方に位置する領域に、マウス３０を操作可能するマウス操作領域３１を有している。【選択図】      図１
2005190368.tif 000002
【特許請求の範囲】
【請求項１】
筐体と、
上記筐体の上面に設けられたキーボードとを具備し、
上記筐体は、その上面の上記キーボードの側方に位置する領域に、マウスを操作可能なマウス操作領域を有していることを特徴とする電子機器。
【請求項２】
上記キーボードは、上記マウス操作領域が上記筐体の一側に設けられるように上記筐体の他側に寄せて配置される第１の位置と、上記マウス操作領域が上記筐体の他側に設けられるように上記筐体の一側に寄せて配置される第２の位置との双方に配置可能であることを特徴とする請求項１に記載の電子機器。
【請求項３】
上記キーボードは、第１の係合部を有しているとともに、上記筐体は、上記第１の係合部と係合して上記キーボードを上記第１の位置に固定する第２の係合部と、上記第１の係合部と係合して上記キーボードを上記第２の位置に固定する第３の係合部とを有していることを特徴とする請求項２に記載の電子機器。
【請求項４】
上記マウス操作領域は、その周囲とは異なる表面粗さに形成されていることを特徴とする請求項１又は２に記載の電子機器。
【請求項５】
上記マウス操作領域は、その周囲とは摩擦係数が異なっていることを特徴とする請求項１又は２に記載の電子機器。
【請求項６】
上記マウス操作領域に、マウスパッドが設けられていることを特徴とする請求項１又は２に記載の電子機器。
【請求項７】
上記マウスパッドは、上記マウス操作領域に着脱自在に設けられていることを特徴とする請求項６に記載の電子機器。
【請求項８】
上記マウス操作領域は、底面及びこの底面の外周から立上る周面を有する凹部を有しているとともに、上記マウスパッドは、上記凹部内に着脱自在に装着されていることを特徴とする請求項７に記載の電子機器。
【請求項９】
上記筐体の外面は、パームレストを有しているとともに、上記マウスパッドの外面は、上記パームレストと面一であることを特徴とする請求項８に記載の電子機器。
【請求項１０】
筐体と、
前記筐体と回動可能な表示装置と、
前記筐体の上面に設けられたキーボードとを有し、
前記表示装置の中心線と前記キーボードの中心線がずれていることを特徴とする電子機器。
【発明の詳細な説明】
【技術分野】
【０００１】
本発明は、ポータブルコンピュータのような電子機器に関する。
【背景技術】
【０００２】
電子機器としては、本体ユニットにディスプレイユニットが回動自在に取付けられてなる携帯型開閉タイプのパーソナルコンピュータが知られている。このようなパーソナルコンピュータでは、ディスプレイ上においてカーソルやポインタの位置を制御する信号を本体ユニットに入力するために、マウスを用いることがある。マウスは、一般に、マウスパッド上で摺動させるようにして使用する。
【０００３】
ところで、パーソナルコンピュータとともにマウスを携帯することはあっても、マウスパッドまでは携帯しないことがある。この場合、マウスパッドを敷かない状態でマウスを使用しなければならないため、マウスを円滑に操作し難い。
【０００４】
そのため、この種のパーソナルコンピュータとしては、パームレストのクリックボタン及びマウスタッチパネルが配された個所以外の部分に、マウスパッドを一体的に設けたものが知られている。すなわち、マウスパッドは、マウスタッチパネルの左右いずれか一方に設けられている（例えば、特許文献１参照。）。
【特許文献１】特開２００２−３５１５７４号公報（段落０００９〜段落００１１、図１）
【発明の開示】
【発明が解決しようとする課題】
【０００５】
しかしながら、特許文献１に記載の技術では、マウスパッドがキーボード（入力キー部）の手前、すなわち、パームレストに配置されることとなる。そのため、マウスパッド上に置かれたマウスがキーボード操作の邪魔になり易い。
【０００６】
本発明は、このような事情にもとづいてなされたもので、筐体上でマウスを操作することができ、しかも、マウスを使用してもキーボード操作の邪魔になり難い電子機器の提供を目的とする。
【課題を解決するための手段】
【０００７】
本発明の１つの形態に係る電子機器は、外面を有する筐体と、上記筐体の外方に露出するように上記筐体に設けられたキーボードとを具備し、上記筐体は、その外面のうちの上記キーボードの側方に位置する領域に、マウスを操作するためのマウス操作領域を有している。
【発明の効果】
【０００８】
本発明によれば、筐体上でマウスを操作することができ、しかも、マウスを使用してもキーボード操作の邪魔になり難い電子機器が得られる。
【発明を実施するための最良の形態】
【０００９】
以下、本発明の第１の実施形態を、電子機器としてのポータブルコンピュータに適用した図１を参照して説明する。
【００１０】
図１は、ノート型のポータブルコンピュータ１を開示している。このポータブルコンピュータ１は、本体ユニット２と、表示装置としてのディスプレイユニット３とを備えている。
【００１１】
本体ユニット２は、樹脂製の筐体１０を有している。筐体１０は、上壁１１ａ、底壁１１ｂ、左右の側壁１１ｃ，１１ｄ、前壁１１ｅ、及び後壁１１ｆを有して、偏平な箱状をなしている。底壁１１ｂの外面は、搭載面であって、筐体１０は、例えば、机の天板のような設置面（図示せず）に設置可能である。本体ユニット２の内部には、図示しないが、制御部としてのプリント配線板やハードディスクドライブ等が収容されている。
【００１２】
キーボード１２は、無線又は有線により上記プリント配線板に信号を入力するものであって、筐体１０の外方に露出するようにこの筐体１０の上面に設けられている。詳しくは、筐体１０の上壁１１ａの後方には、キーボード取付け部１３が設けられている。キーボード１２は、キーボード取付け部１３に取付けられている。
【００１３】
筐体１０の上面１０ａ、すなわち、上壁１１ａの外面１０ａは、キーボード１２の手元側（前端側）に位置する領域に、パームレスト１５を有している。パームレスト１５は、筐体１０の全幅にわたって延びている。上壁１１ａの後端部には、上向きに張り出す細長凸部１６が形成されている。細長凸部１６は、キーボード１２の後方において筐体１０の略全幅にわたって延びている。また、この細長凸部１６は、一対の連結凹部１７ａ，１７ｂを有している。これら連結凹部１７ａ，１７ｂは、長手方向に互いに離間している。これら連結凹部１７ａ，１７ｂは、細長凸部１６の前方、上方、後方に向けて開放する窪みにて構成されている。
【００１４】
ディスプレイユニット３は、表示パネルとしての液晶表示パネル２０と、樹脂製のディスプレイハウジング２１とを備えている。液晶表示パネル２０としては、１７型以上の液晶表示パネルのように、ポータブルコンピュータとしては比較的大型の液晶表示パネルを好適に用いることができる。このディスプレイユニット３では、例えば、１７型ワイドタイプの液晶表示パネルを採用している。ディスプレイハウジング２１は、液晶表示パネル２０の表示画面２０ａを外方に露出させた状態で、この液晶表示パネル２０を収容するものである。
【００１５】
詳しくは、ディスプレイハウジング２１は、後述する開き位置において前側となる前壁２２ａ、前壁２２ａと対向する背壁２２ｂ、及び前壁２２ａと背壁２２ｂとを繋ぐ４つの周壁２２ｃ，２２ｄ，２２ｅ，２２ｆを有して、偏平な箱状をなしている。ディスプレイハウジング２１の前壁２２ａには、表示画面２０ａを露出させるための開口部２３が設けられている。この開口部２３は前壁２２ａの大部分にわたる大きさを有しており、この開口部２３を通じて液晶表示パネル２０の表示画面２０ａがディスプレイハウジング２１の外方に露出されている。
【００１６】
ディスプレイハウジング２１の一端部（後述する開き位置において下側となる端部）には、ディスプレイハウジング２１の幅方向に離間して一対の脚部２４ａ，２４ｂが設けられている。これら脚部２４ａ，２４ｂは夫々、筐体１０に設けられた連結凹部１７ａ，１７ｂに導かれ、筐体１０の後端部に夫々ヒンジ金具（図示せず）を介して回動可能に支持されている。
【００１７】
これにより、ディスプレイユニット３は、キーボード１２及びパームレスト１５を上方から覆うように倒される閉じ位置と、キーボード１２及びパームレスト１５を露出させるように起立する開き位置とにわたって回動可能となるように筐体１０に接続されている。なお、図１では、ポータブルコンピュータ１を開位置で示している。
【００１８】
また、このポータブルコンピュータ１では、表示画面２０ａ上においてカーソルやポインタの位置等を制御する信号を上記プリント配線板に入力する入力手段として、マウス３０を用いることができるようになっている。詳しくは、筐体１０は、マウス３０と上記プリント配線板とを電気的に接続させるためのコネクタ（図示せず）を備えている。このコネクタは、筐体１０の外壁、例えば後壁１１ｆを介して外方に露出するように、上記筐体１０に設けられている。マウス３０は、筐体１０に設けられた上記コネクタを介して、有線にて上記プリント配線板と電気的に接続させて使用する。なお、マウス３０としては、赤外線等により、無線にてプリント配線板に上記信号を入力するものを採用してもよい。
【００１９】
ところで、キーボード１２は、キー１２ａの大きさ、キー１２ａとキー１２ａとの間のピッチ、及びキー１２ａの配列等がＪＩＳ等により規格化されている。具体的には、キー１２ａとキー１２ａとの間隔が１９ｍｍに定められているため、一般的なキーボード１２の幅（左右方向の寸法）は、大凡３０ｃｍ程度となる。
【００２０】
そのため、１５型（左右方向の幅が大凡３０ｃｍ程度）以下の液晶表示パネルを備えるポータブルコンピュータでは、筐体は、キーボードの幅と略同程度となるように、その幅（左右方向の寸法）が設定されている。この場合、筐体は、キーボードの両側方に余剰領域を殆ど有していない。
【００２１】
これに対し、本実施形態のポータブルコンピュータ１のように、ディスプレイユニット３が１７型以上の比較的大型の液晶表示パネル２０を備える場合、筐体１０の幅（左右方向の寸法）は、ディスプレイユニット３の幅（左右方向の寸法）に合わせて設定される。例えば、１７型ワイドタイプの液晶表示パネルの幅（左右方向の寸法）は大凡４０ｃｍ程度であるため、１７型ワイドタイプの液晶表示パネル２０を採用した本実施形態のポータブルコンピュータ１では、筐体１０の幅もまた大凡４０ｃｍ程度に設定されている。つまり、筐体１０の幅がキーボード１２の幅よりも約１０ｃｍ程度大きく設定されている。
【００２２】
そのため、本実施形態のポータブルコンピュータ１では、筐体１０の上面１０ａのキーボード１２の側方に位置する領域、すなわち、筐体１０の上面１０ａのうちのキーボード１２の側方の余剰領域に、マウス３０を操作可能なマウス操作領域３１を設けている。
【００２３】
詳しくは、キーボード取付け部１３を筐体１０の一側、例えば、向かって左側（左側壁１１ｃ側）に寄せて設けている。すなわち、キーボード１２を筐体１０の左側に寄せて配置している。言い換えれば、ディスプレイユニット３の中心線Ｌ１とキーボード１２の中心線Ｌ２とがずれている。そして、筐体１０の上面１０ａのうち、キーボード１２の他側、すなわち、向かって右側（右側壁１１ｄ側）に位置する領域をマウス操作領域３１としている。
【００２４】
なお、マウス操作は、利き手で操作する人が多い。すなわち、右利きの人は、右手でマウス３０を操作することが多い。このように、マウス操作を右手で行う場合、上述のように、キーボード１２の右側方にマウス操作領域３１を設けるのが好ましい。
【００２５】
これに対し、左利きの人等、マウス操作を左手で行う人もいる。このように、マウス３０の操作を左手で行う場合、キーボード取付け部１３を筐体１０の右側に寄せて設け、キーボード１２を筐体１０の右側に寄せて配置し、筐体１０の上面１０ａのうちのキーボード１２の左側に位置する領域に、マウス操作領域３１を設けるのが好ましい。
【００２６】
したがって、マウス操作領域３１をキーボード１２の右側方に配置する右利き用のポータブルコンピュータ１と、マウス操作領域３１をキーボード１２の左側方に配置する左利き用のポータブルコンピュータ１とを用意しておくと、ユーザーが好みに応じて、右利き用又は左利き用のポータブルコンピュータ１を選択することができる。
【００２７】
また、このポータブルコンピュータ１では、マウス操作領域３１は、その周囲（例えば、パームレスト１５）とは表面粗さが異なっている。また、マウス操作領域３１は、その周囲（例えば、パームレスト１５）とは摩擦係数が異なっている。
【００２８】
すなわち、筐体１０の上面１０ａを含む筐体１０の外面には、光沢を抑制するために、粗面化加工を施している。一方で、マウス操作領域３１は、マウス操作の妨げになり難いように、できるだけ平滑に形成するのが好ましい。そのため、本実施形態のポータブルコンピュータ１では、マウス操作領域３１に粗面化加工を施さないことが好ましい。したがって、マウス操作領域３１は、その周囲より滑らかな表面粗さとなり、摩擦係数が小さくなっている。
【００２９】
また、一般的なマウス３０は、本体部３０ａと、この本体部３０ａの底部から露出するようにこの本体部３０ａの内部に収容されたボール（図示せず）とを有している。マウス３０は、本体部３０ａの底部を操作面と接触させながら、この本体部３０ａを動かすことで、ボールが本体部３０ａの内部で転がるようになっており、ボールが転がることで、表示画面２０ａ上においてカーソルやポインタの位置が移動する。そのため、マウス３０を良好に操作するためには、マウス３０に内蔵されたボール（図示せず）が円滑に転がるような操作面において、マウス３０を操作するのが好ましい。
【００３０】
したがって、マウス３０に内蔵されたボールを円滑に動作させるためには、マウス操作領域３１の摩擦係数は所定の範囲内であるのが好ましい。そのため、本実施形態のポータブルコンピュータ１では、マウス操作領域３１に表面処理を施す等して、マウス操作領域３１が所望の摩擦係数となるようにしている。なお、筐体１０の粗面化処理やマウス操作領域３１の表面処理は省略してもよい。また、マウス操作領域３１は、その周囲と同じの表面状態（同じ表面粗さ、同じ摩擦係数）となるようにしてもよい。
【００３１】
以上のように、本実施形態のポータブルコンピュータ１では、上面１０ａを有する筐体１０と、筐体１０の外方に露出するように筐体１０に設けられたキーボード１２とを具備している。そして、筐体１０は、その上面１０ａのうちのキーボード１２の側方に位置する領域に、マウス３０を操作するためのマウス操作領域３１を有している。そのため、ポータブルコンピュータ１では、マウス３０のみを携帯することにより、マウスパッドを個別に携帯することなく、何処ででも円滑にマウス３０を操作することができる。しかも、マウス操作領域３１は、キーボード１２の側方に設けられている。したがって、マウス３０を使用してもキーボード１２操作の邪魔になり難い。
【００３２】
また、マウス操作領域３１は、その周囲とは異なる表面粗さに形成されている。さらに、マウス操作領域３１は、その摩擦係数が、その周囲の摩擦係数とは異なるように形成されている。このように、マウス操作領域３１の表面粗さや摩擦係数を調整することで、マウス３０の操作環境を向上させることができる。
【００３３】
以下、本発明の第２の実施形態を、図２及び図３を参照して説明する。  
本実施形態のポータブルコンピュータ１では、マウス操作領域３１に、シート状のマウスパッド３２を設け、マウスパッド３２の外面３２ａ上においてマウス３０を操作する（摺動させる）ようにしている。
【００３４】
詳しくは、マウス操作領域３１は、底面３６ａ及びこの底面３６ａの周縁から立上る周面３６ｂ，３６ｃ，３６ｄ，３６ｅにより規定される収容凹部３５を有している。マウスパッド３２は、例えば、ゴムのような可撓性を有する材料で形成されたもの等、既存のマウスパッドを用いることができる。また、マウスパッド３２には、所望により、着色を施したり絵柄を施したり等してもよい。
【００３５】
マウスパッド３２は、収容凹部３５の底面３６ａの面積と略同面積に形成されており、収容凹部３５内に着脱自在に装着されている。収容凹部３５からの不用意な脱落を抑制するため、マウスパッド３２は、収容凹部３５の底面３６ａに着脱自在に貼り付けるようにしてもよい。
【００３６】
また、マウスパッド３２の厚さは、収容凹部３５内に装着した際に、マウスパッド３２の外面３２ａがパームレスト１５と面一となるように設定するのが好ましい。このようにすることにより、ディスプレイユニット３を上記閉じ位置とした時に、マウスパッド３２がディスプレイユニット３に干渉するのを抑制できる。なお、他の構成は、図示しない部分を含めて上述した第１の実施形態と同じであるから、重複する説明は図に同符号を付して省略する。
【００３７】
本実施形態のポータブルコンピュータ１によれば、マウス操作領域３１にマウスパッド３２が設けられているため、マウス３０の操作環境をより向上させることができる。
【００３８】
しかも、マウスパッド３２は、マウス操作領域３１に着脱自在に設けられている。そのため、マウス３０が汚れた場合等は、洗ったり取り替えたりすることができる。したがって、マウス操作領域３１を衛生的に保つことができる。しかも、所望の色や絵柄のマウスパッド３２を選択することで、筐体１０の一部にユーザーオリジナルな部分を持たせることができる。
【００３９】
また、このポータブルコンピュータ１では、マウス操作領域３１に、底面３６ａ及びこの底面３６ａの外周から立上る周面３６ｂ，３６ｃ，３６ｄ，３６ｅを有する収容凹部３５を設け、マウスパッド３２を収容凹部３５内に着脱自在に装着するようにしている。つまり、マウスパッド３２の装着位置が予め決められているため、筐体１０へのマウスパッド３２の装着（位置合わせ）が簡単である。しかも、マウスパッド３２の動きが収容凹部３５の周面３６ｂ，３６ｃ，３６ｄ，３６ｅにより規制されるので、マウス操作時にマウスパッド３２が不用意にずれ難い。さらに、マウスパッド３２の外面３２ａをパームレスト１５（筐体１０の上面１０ａ）と面一とすることができるため、マウスパッド３２がディスプレイユニット３の開け閉めやキーボード１２操作等の邪魔になり難い。
【００４０】
以下、本発明の第３の実施形態を、図４乃至図６を参照して説明する。  
上述のように、マウス３０は、右手で操作する人と左手で操作する人とがいる。そのため、本実施形態のポータブルコンピュータ１では、キーボード１２は、マウス操作領域３１が筐体１０の一側例えば向かって右側に設けられるように、筐体１０の他側である向かって左側に寄せて配置される第１の位置（図４及び図５参照）と、マウス操作領域３１が筐体１０の他側である向かって左側に設けられるように、筐体１０の一側である向かって右側に寄せて配置される第２の位置（図６参照）との双方に配置可能としている。
【００４１】
詳しくは、キーボード取付け部１３は、底壁１４ａ及びこの底壁１４ａの周縁から立上る周壁１４ｂ，１４ｃ，１４ｄ，１４ｅを有して凹状に形成されている。なお、底壁１４ａ及び周壁１４ｂ，１４ｃ，１４ｄ，１４ｅは、筐体１０の上壁１１ａの一部でもある。
【００４２】
キーボード取付け部１３は、筐体１０の幅の大部分にわたる幅を有している。本実施形態では、キーボード取付け部１３の底壁１１ｂの外面（すなわち、キーボード取付け部１３の底面）の一部がマウス操作領域３１となる。キーボード１２としては、例えば、筐体１０の内部に収容されたプリント配線板に、無線にて信号を入力可能なものを採用している。
【００４３】
また、図５及び図６に示すように、キーボード１２は、その後端部に第１の係合部としての一対の凹部４１ａ，４１ｂを有している。一方、筐体１０は、一対の凹部４１ａ，４１ｂと夫々係合して、キーボード１２を上記第１の位置に固定する第２の係合部としての一対の突起４３ａ，４３ｂと、凹部４１ａ，４１ｂと夫々係合して、キーボード１２を上記第２の位置に固定する第３の係合部としての一対の突起４５ａ，４５ｂとを有している。突起４３ａ，４３ｂ及び突起４５ａ，４５ｂは夫々、付勢手段としてのコイルばね４６と、このコイルばね４６の一端部（先端部）に設けられたキャップ部材４７とを有している。
【００４４】
筐体１０の内部には、周壁１４ｅの内面に沿うように、支柱５０が設けられている。この支柱５０には、突起４３ａ，４３ｂ，４５ａ，４５ｂに夫々対応させて、４つの支持部５１，５１ｂ，５１ｃ，５１ｄが突設されている。支持部５１，５１ｂ，５１ｃ，５１ｄは夫々、突起４３ａ，４３ｂ，４５ａ，４５ｂが夫々備えるコイルばね４６を貫通させた状態で、これらコイルばね４６の他端部（基端部）を各々支持している。また、周壁１４ｅには、突起４３ａ，４３ｂ，４５ａ，４５ｂに臨んで、４つの開口部５２ａ，５２ｂ，５２ｃ，５２ｄが設けられている。
【００４５】
このようにすることにより、突起４３ａ，４３ｂ，４５ａ，４５ｂは、コイルばね４６が収縮してキャップ部材４７が筐体１０内に収容される収容位置と、コイルばね４６の弾性力によりキャップ部材４７が開口部５２ａ，５２ｂ，５２ｃ，５２ｄを介して筐体１０の外方に突出する突出位置との間で突没自在となる。
【００４６】
向かって右側にマウス操作領域３１を設けたい場合には、キーボード１２を第１の位置に取付ける。その場合、凹部４１ａ，４１ｂの位置と突起４３ａ，４３ｂの位置とを合わせ、且つ、突起４３ａ，４３ｂと突起４５ａ，４５ｂのうちの向かって左側の突起４５ａとをキーボード１２の後端部に当接させてこれらを収容位置としながら、キーボード１２をキーボード取付け部１３内に挿入する。キーボード１２がキーボード取付け部１３に挿入されると、突起４３ａ，４３ｂは、凹部４１ａ，４１ｂと夫々対向するため、ばね４６の弾性力により突出位置となる。これにより、突起４３ａ，４３ｂが凹部４１ａ，４１ｂに入り込み、キーボード１２が第１の位置に固定される（図５参照）。なお、突起４５ａは、キーボード１２の後端部に当接しているので、収容位置のままであり、突起４５ｂは、キーボード１２に当接しないので、突出位置のままである。したがって、突起４５ａ，４５ｂは、キーボード１２の第１の位置への着脱の邪魔になり難い。
【００４７】
一方、向かって左側にマウス操作領域３１を設けたい場合には、キーボード１２を第２の位置に取付ける。その場合、凹部４１ａ，４１ｂの位置と突起４５ａ，４５ｂの位置とを合わせ、且つ、突起４５ａ，４５ｂと突起４３ａ，４３ｂのうちの向かって右側の突起４３ｂとをキーボード１２の後端部に当接させてこれらを収容位置としながら、キーボード１２をキーボード取付け部１３内に挿入する。キーボード１２がキーボード取付け部１３に挿入されると、突起４５ａ，４５ｂは、凹部４１ａ，４１ｂと夫々対向するため、ばね４６の弾性力により突出位置となる。これにより、突起４５ａ，４５ｂが凹部４１ａ，４１ｂに入り込み、キーボード１２が第２の位置に固定される（図６参照）。なお、突起４３ｂは、キーボード１２の後端部に当接しているので、収容位置のままであり、突起４３ａは、キーボード１２に当接しないので、突出位置のままである。したがって、突起４３ａ，４３ｂは、キーボード１２の第２の位置への着脱の邪魔になり難い。なお、他の構成は、図示しない部分を含めて上述した第１の実施形態と同じであるから、重複する説明は図に同符号を付して省略する。
【００４８】
なお、キーボード１２を第１の位置とした時のマウス操作領域３１、及び、キーボード１２を第２の位置とした時のマウス操作領域３１は、キーボード取付け部１３の底面の一部であるが、第１の実施形態のように、その周囲に対して、表面粗さや摩擦係数を異ならせてもよい。
【００４９】
また、マウス操作領域３１には、第２の実施形態のように、マウスパッド３２を設けてよい。この場合、キーボード取付け部１３の一部（第１の位置では、キーボード取付け部１３の右側の周壁１４ｃとキーボード１２の右側部との間の領域、第２の位置では、キーボード取付け部１３の左側の周壁１４ｂとキーボード１２の左側部との間の領域）がマウスパッド３２を収容する収容凹部３５に相当する。
【００５０】
マウス操作領域３１にマウスパッド３２を設ける場合には、マウスパッド３２は、マウス操作領域３１をなす空間、すなわち、第１の位置では、キーボード取付け部１３の右側の周壁１４ｃとキーボード１２の右側部との間の領域、第２の位置では、キーボード取付け部１３の左側の周壁１４ｂとキーボード１２の左側部との間の領域に嵌合する大きさとするのが好ましい。なお、キーボード１２の大きさ、及び、キーボード取付け部１３の大きさは変化しないので、キーボード取付け部１３の右側の周壁１４ｃとキーボード１２の右側部との間の領域と、キーボード取付け部１３の左側の周壁１４ｂとキーボード１２の左側部との間の領域とは、実質的に同じ大きさとなる。そのため、右側にマウス操作領域３１を設けた場合と左側にマウス操作領域３１を設けた場合とで、マウスパッド３２を共有できる。
【００５１】
本実施形態のポータブルコンピュータ１によれば、キーボード１２は、マウス操作領域３１が筐体１０の一側に設けられるように筐体１０の他側に寄せて配置される第１の位置と、マウス操作領域３１が筐体１０の他側に設けられるように筐体１０の一側に寄せて配置される第２の位置との双方に配置可能である。したがって、右利き用のポータブルコンピュータと左利き用のポータブルコンピュータとを用意することなく、１つのポータブルコンピュータ１で、マウス操作領域３１をキーボード１２の一側及び他側の双方に設けることができる。
【００５２】
なお、本発明は、上述した実施形態に限定されるものではなく、本発明の要旨を逸脱しない範囲においては種々の態様で実施し得ることは言うまでも無い。
【図面の簡単な説明】
【００５３】
【図１】本発明の第１の実施形態に係るポータブルコンピュータを示す斜視図。
【図２】本発明の第２の実施形態に係るポータブルコンピュータの一部を示す分解斜視図。
【図３】図２のポータブルコンピュータの一部を示す斜視図。
【図４】本発明の第３の実施形態に係るポータブルコンピュータを、キーボードを第１の位置として示す分解斜視図。
【図５】図４のポータブルコンピュータを一部切り欠いて示す上面図。
【図６】図４のポータブルコンピュータを、キーボードを第２の位置とするとともに一部切り欠いて示す上面図。
【符号の説明】
【００５４】
１…ポータブルコンピュータ（電子機器）、  ３…ディスプレイユニット（表示装置）、  １０…筐体、  １０ａ…筐体の上面、  １２…キーボード、  １５…パームレスト、  ３０…マウス、  ３１…マウス操作領域、  ３２…マウスパッド、  ３２ａ…マウスパッドの外面、  ３５…収容凹部（凹部）、  ４１ａ，４１ｂ…凹部（第１の係合部）、  ４３ａ，４３ｂ…突起（第２の係合部）、  ４５ａ，４５ｂ…突起（第３の係合部）
【図１】
2005190368.tif 000003
【図２】
2005190368.tif 000004
【図３】
2005190368.tif 000005
【図４】
2005190368.tif 000006
【図５】
2005190368.tif 000007
【図６】
2005190368.tif 000008